(57)【要約】【課題】      錘が左右に搖れず、ルア−本体の前方側へ転がり易いルア−を提供することである。【解決手段】  ルア−本体１の止着部３より後側の胴部内に錘５の錘収納部６が形成されて錘収納部６は長手方向に長く前端に錘５が落し込まれる凹部６ａが形成され、他の錘収納部６の底部６ｂに長手方向の誘導溝６ｃが形成されている。  誘導溝６ｃは前側の横幅Ｗが広く、後側の横幅ｗが狭く形成されている。  錘５の材料は鉄、銅、鉛、タングステンやこれら合金などの金属やこれらの金属を混入した合成樹脂など比重７以上のものが好ましい。【選択図】        図２
2005318826.tif 000002
【特許請求の範囲】
【請求項１】
ルア−の胴部内に長手方向に移動する錘を収納したルア−において、錘収納部の底部に前側の横幅が広く後側の横幅が狭い誘導溝を形成したことを特徴とするルア−。
【発明の詳細な説明】
【技術分野】
【０００１】
本発明は、内部に錘を移動自在に収容したルア−に関する。
【背景技術】
【０００２】
従来からルア−本体内に設けた錘が前後に移動し、投入時に大きな飛距離を稼げるルア−が使用されている。
これらのルア−は、例えば、特許文献１の公報のように、球状の錘や円柱状の錘がルア−の前後方向に長い中空部からなる収納部に収納され、錘はこの中を転がりながら移動したり、車輪状の錘を中空部の上下面にレ−ルを設けて転動するルア−が紹介されている。
しかし、錘が転がり易いように収納部の横幅を錘より広く形成するが、球状や円柱状の錘が左右に搖れながら前後方向へ転動するため、ルア−が横振れすることになり、錘の前端への到達が遅れる。
また、車輪状の錘を上下面のレ−ルに沿って転動させると摩擦抵抗が大きくなり移動時間が掛かり、錘が前端に到達するのが遅くなり、ルア−投入後すぐにルア−を動かしても思ったようなアクションをせずルア−のアクションの立ち上がりが遅くなることになる。
【特許文献１】特開平９−２３８５９７号公報
【発明の開示】
【発明が解決しようとする課題】
【０００３】
解決しようとする問題点は、錘が左右に搖れて転動して錘の前端に到達が遅れたり、レ−ルに沿って転動させると摩擦抵抗が大きくなり移動時間が掛かり、錘が前端に到達するのが遅くなり、ルア−のアクションの立ち上がりが遅くなることである。
【０００４】
本発明の目的は前記欠点に鑑み、錘が左右に搖れず、摩擦抵抗が小さく転がり易いルア−を提供することである。
【課題を解決するための手段】
【０００５】
本発明の請求項１は、ルア−の胴部内に長手方向に移動する錘を収納したルア−において、錘収納部の底部に前側の横幅が広く後側の横幅が狭い誘導溝を形成したことを要旨とするものである。
【発明の効果】
【０００６】
本発明により、前側の横幅が広く後側の横幅が狭い誘導溝で移動方向が方向付けされて横振れしないで前側へ転がり易く、ルア−投入後錘が素早く前方に戻ってすぐにルア−をアクションさせることができ、ルア−のアクションの立ち上がりが早くなる。
【発明を実施するための最良の形態】
【０００７】
ルア−本体１の止着部３より後側の胴部内に錘５の錘収納部６が形成されて錘収納部６は長手方向に長く前端に錘５が落し込まれる凹部６ａが形成され、錘収納部６の底部６ｂに長手方向の誘導溝６ｃが形成されている。
誘導溝６ｃは前側の横幅Ｗが広く、後側の横幅ｗが狭く形成されている。
錘５の材料は鉄、銅、鉛、タングステンやこれら合金などの金属やこれらの金属を混入した合成樹脂など比重７以上のものが好ましい。
【実施例１】
【０００８】
以下、図示の実施例によって本発明を説明すると、図１から図３は第１実施例で、図１はルア−の内側の側面図、図２はルア−の断面平面図と一部拡大断面平面図、図３はルア−の要部拡大断面正面図である。
【０００９】
ルア−は外殻体がＡＢＳ、ポリカ−ボネ−ト等の合成樹脂製で内部が中空となるように左右対称の外殻が接合されてルア−本体１が形成されている。
ルア−本体１の前端と下側と後端には夫々釣糸や釣り針等の仕掛の止着部２、３、４が設けられ、前端の止着部２には直接又は図示しないスナップ等を介して釣り糸が止着され、下側と後端の止着部３、４には図示しない接続リングを介して釣り針が止着される。
ルア−本体１の止着部３より後側の胴部内に錘５の錘収納部６が形成され、その中に球状の錘５が転動するように収納されている。
錘収納部６はルア−本体１の長手方向に長く形成された中空部で前端に錘５が落し込まれる凹部６ａが形成され、錘収納部６の底部６ｂに長手方向の誘導溝６ｃが錘収納部６の後端から前端にかけて形成されている。
誘導溝６ｃは前側の横幅Ｗが広く、後側になるにつれて横幅が徐々に狭くなり、前側に比べ後側の横幅ｗが狭く形成され、又、前側の深さが深く、後側の深さが浅く形成されている。
誘導溝６ｃはルア−本体１の長手方向に直線状に形成されている。
ルア−本体１の前側の胴部内に調整錘７、８が収容され、錘収納部６の後側の胴部内に調整錘９が収容されている。
各錘５、７、８、９の材料は鉄、銅、鉛、タングステンやこれら合金などの金属やこれらの金属を混入した合成樹脂など比重７以上のものが好ましい。
【００１０】
ルア−を投入する時は、竿先にルア−本体１の前端を上方にして垂下させ、錘５は自重で錘収納部６に沿って落下し、錘５はルア−本体１の錘収納部６内の後端側に位置し、この状態でルア−を投入すると、ルア−の飛距離が伸びる。
着水後、ルア−を動かすと、水の抵抗で前方が下方を向き錘５は誘導溝６ｃの底部には接触せず、溝縁に沿って接触して錘収納部６内の前方側に移動して凹部６ａに落し込まれる。
錘５が誘導溝６ｃの溝縁に沿って点接触で錘収納部６内の前方側に移動する時、誘導溝６ｃは前側の横幅Ｗが広く、後側の横幅ｗが狭くＶ字状に前側に向かって開いて形成されているから、球状の錘５はＶ字状に開いて行く方向に転がり易い為、誘導溝６ｃで移動方向が方向付けされて横振れしないで転がり易く、また、錘収納部６の側面に当たりにくく、素早く前方に戻ることになる。
【００１１】
前記のようにルア−が構成されると、球状の錘５はＶ字状に開いて行く方向に移動し易い為、前側の横幅Ｗが広く後側の横幅ｗが狭い誘導溝６ｃで錘５がルア−投入後すぐに転がり易く、素早く前方に戻ってルア−のアクションの立ち上がりが早くなる。
誘導溝６ｃは、錘５が錘収納部６の後端側に位置する時に、その溝縁が錘５に接触するように形成されており、これによっても錘収納部６の後端側の錘５がルア−投入後すぐに移動し始めるため、ルア−のアクションの立ち上がりが早くなる。
【実施例２】
【００１２】
図４は第２実施例で、図４はルア−の要部拡大断面正面図である。
【００１３】
第２実施例では、誘導溝６ｃの下側が肉抜き形成されて後方に向けて凹部６ｄが形成されている。
第２実施例では凹部６ｄを設けてルア−本体１の中空部を大きくして軽量化が図られ、錘収納部６の誘導溝６ｃの底がなくなり、誘導溝６ｃの溝縁が錘収納部６の内方へ突出した状態となっている。
他の構成は前記第１実施例と略同一である。
【００１４】
尚、第１実施例、第２実施例共に誘導溝６ｃは、錘収納部６の前端から後端にかけて設けたが、これに限らず、その一部に設けてもよい。
例えば、少なくとも錘収納部６の後端側に誘導溝６ｃを設けることで後端側の錘５をすぐに移動させることができる。
【産業上の利用可能性】
【００１５】
本発明はルア−全般に利用できる。
【図面の簡単な説明】
【００１６】
【図１】第１実施例で、ルア−の内側の側面図である。
【図２】同ルア−の断面平面図と一部拡大断面平面図である。
【図３】同ルア−の要部拡大断面正面図である。
【図４】第２実施例で、ルア−の要部拡大断面正面図である。
【符号の説明】
【００１７】
１  ルア−本体
６  錘収納部
６ｃ  誘導溝
５  錘
【図１】
2005318826.tif 000003
【図２】
2005318826.tif 000004
【図３】
2005318826.tif 000005
【図４】
2005318826.tif 000006